(57)【要約】【課題】レンズ部材のコストが増大するのを抑制し得ると共に製造上の不具合が生じ難く、視認領域を十分に確保し得る遊技機を提供する。【解決手段】所要位置に形成した被視認部２７ａと、該被視認部２７ａを拡大するレンズ部材３２と、該レンズ部材３２を装飾的に囲繞する装飾カバー３６とを備え、該レンズ部材３２を、レンズ本体３４ａと、該レンズ本体３４ａの外周縁から後方に延出して、被視認部２７ａとレンズ本体３４ａとの間に所要の間隙３８を画成する筒状壁部３４ｂとから構成する。そして、前記筒状壁部３４ｂを前記装飾カバー３６に形成した開口部３６ａに挿通するようにした。【選択図】図４
2005040395.tif 000002
【特許請求の範囲】
【請求項１】
所要位置に形成した被視認部と、該被視認部を拡大するレンズ部材と、該レンズ部材を装飾的に囲繞する装飾カバーとを備える遊技機において、
前記レンズ部材を、レンズ本体と、該レンズ本体の外周縁から後方に延出して、前記被視認部とレンズ本体との間に所要の間隙を画成する筒状壁部とから構成し、
前記筒状壁部を前記装飾部材の開口部に挿通するようにした
ことを特徴とする遊技機。
【請求項２】
前記装飾部材に開設した前記開口部の内部輪郭形状は、前記筒状壁部の外部輪郭形状に略合致するよう形成されて、該筒状壁部を開口部に挿通した際に開口部に筒状壁部が嵌合する請求項１記載の遊技機。
【請求項３】
前記被視認部の後方に発光手段を配設した請求項１または２記載の遊技機。
【請求項４】
前記開口部の内周面には光反射処理が施されている請求項３記載の遊技機。
【発明の詳細な説明】
【技術分野】
【０００１】
この発明は、所要位置に形成した被視認部を拡大表示することにより遊技の興趣を増大するよう構成した遊技機に関するものである。
【背景技術】
【０００２】
代表的な遊技機であるパチンコ機は、機内にセットされる遊技盤の盤面に画成した遊技領域の略中央位置に装飾部材が配設されて、該装飾部材に形成した開口部から液晶式やドラム式等の図柄表示装置を臨ませ、この図柄表示装置で図柄組み合わせゲームやリーチ演出等の遊技演出を行なうよう構成される。また、多くのパチンコ機は、前記図柄表示装置での遊技演出に加えて、前記装飾部材やその他各種部材に所要の文字や絵柄等の装飾部(被視認部)を形成し、遊技者の視覚に働きかけることで当該パチンコ機に興味を抱かせるようになっている。しかし、前記装飾部材等の大きさには限りがあることから、大きな装飾部を形成するのはスペース的に困難な場合もあり、必ずしも視覚的効果に優れたものではなかった。
【０００３】
そこで、比較的小さな装飾部の前側にレンズ部を配設して、該装飾部を拡大することで視覚的効果を高めるようにしたものがある。例えば、前後方向に移動し得るよう構成された装飾部の前側にレンズ体を配設すると共に、該レンズ体の前側に所要の装飾を施した装飾リングを配設するようにした演出装置が提案されている(特許文献１)。また、遊技球を発射させる打球発射装置の把持部に、所要の文字や図柄等からなる装飾部を設け、該装飾部の前側に所要の厚み寸法を有する円板状のレンズ部材を配設し、該レンズ部材の側部を被覆するようカバー部材を設けたものも提案されている(特許文献２)。
【特許文献１】特開２００２−２４８２０５号公報
【特許文献２】特開２００３−３８７３８号公報
【発明の開示】
【発明が解決しようとする課題】
【０００４】
しかしながら、前記特許文献１に記載の装飾リングは、その一部が前記レンズ体の前面に延在する形状に形成されているため、装飾部を視認し得る視認領域が狭くなってしまう欠点がある。従って、拡大表示した装飾部により、遊技者に与え得る視覚的効果は限定的なものとなる畏れがある。これに対して、前記特許文献２に記載のカバー部材は、前記レンズ部材に外挿して該レンズ部材の側部を被覆するよう構成されており、レンズ部材の視認領域を狭くすることはない。しかし、前記カバー部材を前記レンズ部材に外挿する構成上、前記レンズ部材を突形状としなければならず、その肉厚が大きくなってしまう。このため、レンズ部材が必要以上に肉厚となってコストの増大を招くと共に、ヒケ等の製造上の不具合が発生し易くなる問題を内在している。
すなわち、本発明は、レンズ部材のコストが増大するのを抑制し得ると共に製造上の不具合が生じ難く、視認領域を十分に確保し得る遊技機を提供することを目的とする。
【課題を解決するための手段】
【０００５】
前記課題を克服し、所期の目的を好適に達成するため、本発明に係る遊技機は、
所要位置に形成した被視認部(27a)と、該被視認部(27a)を拡大するレンズ部材(32)と、該レンズ部材(32)を装飾的に囲繞する装飾カバー(36)とを備える遊技機において、
前記レンズ部材(32)を、レンズ本体(34a)と、該レンズ本体(34a)の外周縁から後方に延出して、前記被視認部(27a)とレンズ本体(34a)との間に所要の間隙(38)を画成する筒状壁部(34b)とから構成し、
前記筒状壁部(34b)を前記装飾カバー(36)の開口部(36a)に挿通するようにしたことを特徴とする。
【０００６】
また、前記装飾カバー(36)に開設した前記開口部(36a)の内部輪郭形状を、前記筒状壁部(34b)の外部輪郭形状に略合致するよう形成して、該筒状壁部(34b)を開口部(36a)に挿通した際に開口部(36a)に筒状壁部(34b)が嵌合するよう構成することもできる。
【０００７】
更に、前記被視認部(27a)の後方に発光手段(28)を配設してもよい。
【０００８】
そして、前記開口部(36a)の内周面に光反射処理を施すよう構成することも可能である。
【発明の効果】
【０００９】
本発明の請求項１に係る遊技機によれば、被視認部を拡大表示するレンズ本体の外周縁から後方に延出した筒状壁部を形成することで、前記レンズ本体と被視認部との間を所要距離だけ離間させ得るから、レンズ本体の厚み寸法を大きくすることなく該被視認部をより効果的に拡大表示することが可能となる。従って、レンズ部材を形成する材料が少なく済み、コストの増大を防止し得ると共に、ヒケ等の製造上の問題が生ずるのを抑制し得る。そして、前記レンズ本体の前側を前記装飾カバーで被覆しないので、該レンズ本体における被視認部の視認領域を十分に確保し得る。
【００１０】
また、請求項２に係る遊技機によれば、前記装飾カバーの開口部に前記レンズ部材の筒状壁部を嵌合するよう構成することで、該装飾カバーを確実にレンズ部材に取り付け得る。更に、請求項３に係る遊技機によれば、発光手段を被視認部の後方に配設することで、該被視認部を遊技者に対して明確に視認させ得ると共に、美観を向上し得る。更にまた、請求項４に係る遊技機によれば、前記開口部の内周面に光反射処理を施すことで、前記発光手段からの光を反射して前記レンズ本体に多様な方向から光を入射させることができる。これにより、前記レンズ部材を効率的に明輝し得ると共に、被視認部の視認性および美観がより一層高められ、視覚的効果が向上する。
【発明を実施するための最良の形態】
【００１１】
レンズ部材のレンズ本体に、その外周縁から後方に延出する筒状壁部を形成し、該筒城壁部により被視認部とレンズ本体との間に所要の間隙を画成して、該被視認部を拡大する。また、筒状壁部を装飾カバーの開口部に挿通して、該カバーでレンズ部材の視認領域を狭くすることなく装飾する。
【実施例】
【００１２】
次に、本発明に係る遊技機につき好適な実施例を挙げて、添付図面を参照しながら、以下詳細に説明する。なお実施例では、遊技機としてパチンコ球を遊技媒体として使用するパチンコ機を例として説明する。
【００１３】
先ず本実施例のパチンコ機について、図１を参照して説明する。本実施例のパチンコ機Ｐは、その基本的な概略構成として、外枠Ａの開口前面側に対して中枠Ｂが、連結支持手段Ｎおよび施錠手段Ｓを利用して着脱および開閉可能に組み付けられている。そして中枠Ｂに、横開き式のガラス板Ｄを組み付けた前枠Ｃと、ガラス板Ｄの下部において前枠Ｃに対して着脱および開閉可能に組み付けられる開閉セット板(図示せず)の前側にセットされてパチンコ球を貯留し得る上球皿Ｅおよび後側にセットされた電動式の球送り装置(図示せず)と、これらの下段に配設されて前記上球皿Ｅに収容しきれないパチンコ球を貯留する下球皿Ｆおよびパチンコ球を遊技領域Ｉに打出す打球発射装置Ｈと、後側に位置する機構セット盤(図示せず)等が夫々装備されている一方、中枠Ｂに所要の遊技領域Ｉを構成した遊技盤Ｊが着脱交換可能にセットされる。
【００１４】
前記遊技盤Ｊは、図１に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配置され、可視表示部２０ａを介して各種図柄等を可変または停止表示して所要の遊技演出を行なう図柄表示装置Ｋが臨む装飾部材２０と、風車とも称されてパチンコ球の落下方向を変向する案内車１３と、始動入賞具１１の直下方に設置された大型電動式の入賞装置Ｍ等が配設される。前記始動入賞具１１内に配設された図示しないスイッチは、各パチンコ球の検出毎に図柄表示装置Ｋを１回ずつ変動開始させるための始動入力手段として利用される。また、前記装飾部材２０における前記図柄表示装置Ｋの下方位置には、記憶表示部１５が設けられており、図柄表示装置Ｋが変動中、または「大当り」の時に、パチンコ球が始動入賞具１１に入賞した際に通常得られる情報が最大４個の入賞分まで始動記憶され、該記憶表示部１５にその始動記憶数が点灯表示される。そして、前記図柄表示装置Ｋが変動可能な状態となると、その始動記憶数に基づいて図柄の変動が開始されると共に、前記始動記憶が１つ消化され、かつ前記記憶表示部１５が１つ消灯されるようになっている。
【００１５】
前記入賞装置Ｍは、図柄表示装置Ｋの大当り成立時に対する特別遊技状態として、開成作動条件が付与される大型の入賞装置Ｍであって、特別入賞具１７に対設された扉状の開閉板１８が、後側の電磁ソレノイドに係る設定駆動条件に基づいて、通常の閉塞状態から開放状態に変化する。なお、遊技盤Ｊにおける遊技領域Ｉには、図示しない多数のクギが立設されており、該遊技領域Ｉに打出されたパチンコ球の落下方向を変更して、該パチンコ球に複雑な動きを与えるようになっている
【００１６】
前記装飾部材２０は、図２に示すように、前記遊技盤Ｊにネジ止めされる枠状のベース部材２２に、種々の形状に形成した複数の装飾体２４が取り付けられており、該遊技盤Ｊ(パチンコ機Ｐ)を装飾するよう構成される。また、前記ベース部材２２の右上方位置には、平面状の設置部２６が形成されて、該設置部２６に複数の被視認部２７ａ,２７ａ,２７ａ,２７ａ,２７ａ(実施例では、☆、○、△、×、□の各図柄)を表示した半透明の透光性シートが貼着されると共に、該透光性シート２７の前側に装飾レンズ３０が配設されている。なお、前記各被視認部２７ａは、光を透過しないよう形成してある。更に、前記ベース部材２２における前記各被視認部２７ａと対応する位置には、前後に開口する孔部２６ａが夫々開設されると共に、該孔部２６ａから後方に向けて筒状部２６ｂが形成されており、各筒状部２６ｂ内に、被視認部側に向けて光を照射するよう複数のＬＥＤ(発光手段)２８が配設されている(図３および図４参照)。なお、前記ＬＥＤ２８は、前記図柄表示装置Ｋでの遊技演出に合わせて点灯して所要の遊技演出を行なうようになっている。
【００１７】
また、前記装飾レンズ３０は、図２〜図４に示すように、前記被視認部２７ａを拡大させるレンズ部材３２と、前面に所要の装飾が施された装飾カバー３６とから構成される。前記レンズ部材３２は、前記透光性シート２７の前側に位置して前記装飾カバー３６の裏面にその前面が当接する台部３３と、該台部３３における各被視認部２７ａの表示位置に対応して前方に突出するよう形成されたレンズ部３４,３４,３４,３４,３４とから構成されている。ここで、図３または図４に示すように、前記筒状壁部３４ｂは、前記レンズ本体３４ａの外周縁から後方に延出し、前記台部３３を前記透光性シート２７に当接した際に、前記被視認部２７ａとレンズ本体３４ａとの間に所要の間隙３８を画成するようになっている。また、図３および図４に示すように、前記筒状壁部３４ｂの後端縁は後方に開口するよう構成されると共に、この後方開口領域に、前記被視認部２７ａが臨むよう構成される。なお、前記筒状壁部３４ｂの後方開口は、前記装飾レンズ３０を設置部２６に配設した際に対応する前記孔部２６ａと略整合する大きさに設定される。
【００１８】
ここで、前記台部３３は、前側に段状に折れ曲がるよう形成されて、この折り曲げた部位に、前記レンズ部３４,３４,３４,３４,３４の夫々が前方に突出するよう形成されており(図３または図４参照)、前記透光性シート２７の前側にレンズ部材３２を配置した際には、該台部３３の裏面の一部が該透光性シート２７に当接し、その他の部位は該透光性シート２７から離間している。すなわち、前記透光性シート２７の前側に前記レンズ部材３２を配置した際に、前記各被視認部２７ａが前記間隙３８の内部に位置しないよう構成され、該被視認部２７ａとレンズ本体３４ａとは、少なくとも前記筒状側壁３４ｂの前後方向の長さ寸法だけ離間するようになっている。なお、前記台部３３とレンズ本体３４ａおよび筒状壁部３４ｂの夫々は、アクリル樹脂で一体形成された無色透明部材であるが、これに限らず、その他の光透過性を有する樹脂やガラス等で形成してもよく、またレンズ本体３４ａおよび筒状壁部３４ｂの夫々を有色透明部材としてもよい。
【００１９】
また、前記装飾カバー３６には、前記各筒状壁部３４ｂの外部輪郭形状に略合致する内部輪郭形状に設定した開口部３６ａが夫々開設されており、前記各レンズ部３４の夫々を後方から挿通し得るよう構成される。すなわち、前記装飾カバー３６の各開口部３６ａに、各レンズ部３４の筒状壁部３４ｂを後方から挿通することで、装飾カバー３６にレンズ部材３２を組み付け、前記装飾レンズ３０を一体的に取り扱い得るようになっている。そして、前記レンズ部材３２と装飾カバー３６とを組み付けた状態で、該装飾カバー３６が前記設置部２６に前側からネジ止めされ、図４に示すように、前記ＬＥＤ２８、被視認部２７ａおよびレンズ本体３４ａの夫々が前後に整列するようになっている。
【００２０】
なお、図３および図４に示すように、前記装飾カバー３６の前後方向の厚み寸法は、前記各筒状壁部３４ｂの前後方向の長さ寸法より小さく設定されて、装飾カバー３６の開口部３６ａに筒状壁部３４ｂを完全に挿通した状態では、装飾カバー３６が前記レンズ本体３４ａの前側に延在しないよう構成される。また、前記装飾カバー３６の前記各開口部３６ａの内周面には、メッキ処理や研磨処理等の光反射処理が施され、前記ＬＥＤ２８から該開口部３６ａの内周面に向けて照射された光を、前記レンズ本体３４ａに向けて反射し得るよう構成してある。
【００２１】
〔実施例の作用〕
次に、本実施例に係るパチンコ機の作用につき説明する。前記装飾部材２０の設置部２６に貼着した透光性シート２７に表示した被視認部２７ａの前面側に、前記レンズ部材３２のレンズ本体３４ａ(レンズ部材３２)が位置するよう構成したから、該被視認部２７ａを拡大して実際の大きさより大きく見せることができる。このように、前記被視認部２７ａが大きく見えるようにすることで被視認部２７ａの視認性が向上し、遊技者に当該パチンコ機Ｐに対する興味をより強く抱かせ得るようになる。また、被視認部２７ａをレンズ部材３２により拡大するようにしたから、被視認部２７ａを設けるスペースが限られる場合であっても、効果的に視覚的効果を向上させることができる。
【００２２】
そして、前記レンズ本体３４ａの外周縁から後方に延出するよう筒状壁部３４ｂを形成し、該筒状壁部３４ｂの前後方向の長さ寸法を装飾カバー３６の厚み寸法より大きくしたことで、前記レンズ本体３４ａの前側が装飾カバー３６で覆われることはなく、該レンズ本体３４ａにおける被視認部２７ａの視認領域を十分に確保し得る。また、前記筒状壁部３４ｂにより、前記被視認部２７ａと前記レンズ本体３４ａとの間に所要の間隙３８を画成するようになっている。このため、前記レンズ本体３４ａを肉厚に形成することなく被視認部２７ａを拡大することが可能となり、レンズ部材３２を形成する樹脂材料を少なくして、コストの増大を防止し得る。また、前記レンズ本体３４ａの厚み寸法が小さくなることで、該レンズ部材３２にヒケ等の製造上の問題が生ずるのは抑制される。そして、前記被視認部２７ａとレンズ本体３４ａとは、少なくとも前記筒状側壁３４ｂの前後方向の長さ寸法だけ離間するよう設定したから、該筒状壁部３４ｂの前後方向の長さ寸法を所要に応じて変更するだけで、該被視認部２７ａの拡大率を適宜設定することが可能である。
【００２３】
更に、前記装飾カバー３６の開口部３６ａに前記レンズ部材３２の筒状壁部３４ｂ(レンズ部３４)を嵌合するようにしたから、該装飾カバー３６とレンズ部材３２とを確実に固定し得ると共に、該レンズ部材３２が簡単には装飾カバー３６から脱落しないので、両部材３２,３６を一体的に取り扱うことができ、組み付け作業性が向上する。そして、装飾カバー３６を前記設置部２６にネジ止めするだけで、前記レンズ部材３２も設置部２６に固定することができるから、該レンズ部材３２をネジ等の固定部材で別途固定する必要はなく、組み付け部品点数を少なくしてコストを低減し得る。
【００２４】
また、前記被視認部２７ａを前記透光性シート２７に表示すると共に、該被視認部２７ａの後方に前記ＬＥＤ２８を配設したから、該ＬＥＤ２８を発光した際には、被視認部２７ａの周囲を明輝して被視認部２７ａを遊技者に明確に視認させ得る。更に、被視認部２７ａの周囲が明輝されることで、被視認部２７ａが浮き上がるように見せることができ、被視認部２７ａ(装飾レンズ３０)の美観が向上される。なお、前記筒状壁部３４ｂも光透過性の樹脂で形成したことで、該筒状壁部３４ｂの後端面から進入したＬＥＤ２８の光を前記レンズ本体３４ａに好適に導くことができ、該レンズ本体３４ａを明輝して視認性を向上し得ると共に、より一層装飾性を高め得る。更にまた、前記装飾カバー３６における前記開口部３６ａの内周面に光反射処理を施して、該内周面に照射された前記ＬＥＤ２８からの光を前記レンズ本体３４ａに向けて反射することで、該レンズ本体３４ａに多様な方向から光を入射させることができる。これにより、前記レンズ部材３２を全体的に効率よく明輝し得ると共に、被視認部２７ａの視認性および美観がより一層高められ、視覚的効果が向上される。
【００２５】
(変更例)
なお、遊技機に配設した装飾レンズの構成としては、実施例のものに限らず、種々の変更が可能である。例えば、透光性シートに被視認部を表示する構成に限らず、光を透過しないシートに、被視認部として光を透過する光透過部を形成するようにしてもよい。この場合には、被視認部自体を明輝させて視認性を向上させ得る。また、被視認部としては、実施例のものに限らず、所要の文字や図柄等であってもよく、また平面的なものに限らず立体的なキャラクタ等であってもよい。更に、前記レンズ部材に複数のレンズ部(レンズ本体および筒状壁部)を一体的に形成するようにしたが、単一のレンズ部(レンズ本体および筒状壁部)のみで形成することもできる。この場合には、前記筒状壁部の後端部に外方に向けて延出するフランジを形成することで、前記装飾カバーから抜け落ちるのは防止され、実施例と同様の作用効果を得ることができる。
【００２６】
また、前記装飾レンズのＬＥＤを前記図柄表示装置での遊技演出に合わせて点灯して遊技演出を行なうと共に、遊技盤の装飾効果を向上するようにしたが、該装飾レンズを図柄表示装置の始動記憶数を表示する前記記憶表示部として使用することもできる。ここで、記憶表示部として前記装飾レンズを使用する場合には、レンズ部材に最大の始動記憶数と同数のレンズ本体(レンズ部)を設けると共に、夫々のレンズ本体の後方に始動記憶数を表示する数字で形成した被視認部を設け、更に被視認部の後方にＬＥＤ等の発光手段を配設するよう構成してもよい。この場合に、始動記憶数と対応する数字を表示した被視認部を発光手段で明輝することで、何個目の始動記憶となるのかを遊技者に理解し易いよう表示することができる。特に、本発明の装飾レンズによれば、筒状壁部により前記レンズ本体と被視認部(数字)との間に画成した間隙を介して、該被視認部を良好に拡大させ得ると共に、該前記筒状壁部により被視認部(数字)の視認領域を確実に確保し得る。従って、始動記憶数の如く数字で示される情報を、遊技者により正確に認識させ得るようになる。また、視認領域を十分に確保することで、単に被視認部(数字)を拡大して見易くするだけでなく、該被視認部(数字)の後方に配置した発光手段の点灯により遊技機の装飾性を向上させることも可能である。
【００２７】
更に、前記装飾レンズの配設位置としては、実施例のように図柄表示装置が臨む前記装飾部材に限らず、遊技機の前面側で、遊技者に視認し得る位置であれば任意の位置に配設することが可能である。なお、前記装飾レンズを配設する遊技機としては、パチンコ機に限られるものではなく、アレンジボール機やスロットマシン機、その他各種遊技機を採用することが可能である。
【００２８】
(付記)
また、本発明の具体的構成としては、以下のような限定が可能である。
請求項１〜４の何れかに記載の遊技機に関し、前記レンズ部材に、複数の前記レンズ本体および筒状壁部を一体形成する。
このように、複数の前記レンズ本体および筒状壁部を一体形成することで、レンズ部材の取り扱いが容易になる。
【図面の簡単な説明】
【００２９】
【図１】本発明の実施例に係る装飾レンズを備えたパチンコ機を示す正面図である。
【図２】本実施例に係る装飾部材の一部を分解して示す斜視図である。
【図３】本実施例に係る装飾レンズを分解した状態を概略で示す縦断側面図である。
【図４】本実施例に係る装飾レンズを設置部に配設した状態を概略で示す縦断側面図である。
【符号の説明】
【００３０】
２７ａ  被視認部
２８  ＬＥＤ(発光手段)
３２  レンズ部材
３４ａ  レンズ本体
３４ｂ  筒状壁部
３６  装飾カバー
３６ａ  開口部
３８  間隙
【図１】
2005040395.tif 000003
【図２】
2005040395.tif 000004
【図３】
2005040395.tif 000005
【図４】
2005040395.tif 000006